(57)【要約】【課題】設備の実運用に即した訓練パターンを過去の実績データを用いて簡易に作成する。【解決手段】設備の状態を表すイベント情報を収集して、前記設備の状態を表すメッセージ文字列ならびに前記イベントの発生時刻およびタグ情報を含む付加情報を生成するデータ処理部１４と、データ処理部が生成した前記メッセージ文字列および付加情報を格納する統計メッセージデータベース１１と、所定のキーワードを入力して、災害時の統計メッセージデータを前記統計メッセージデータベースから検索し、検索した統計メッセージデータを訓練パターンテーブルに登録する統計メッセージデータ検索処理部１６と、前記訓練パターンテーブルから訓練パターンを読み取り、模擬イベントを発生させる訓練実行処理部１８を備えた。【選択図】図１
2011199469.tif 000002
【特許請求の範囲】
【請求項１】
設備の状態を表すイベント情報を収集して、前記設備の状態を表すメッセージ文字列ならびに前記イベントの発生時刻およびタグ情報を含む付加情報を生成するデータ処理部と、
データ処理部が生成した前記メッセージ文字列および付加情報を格納する統計メッセージデータベースと、
所定のキーワードを入力して、災害時の統計メッセージデータを前記統計メッセージデータベースから検索し、検索した統計メッセージデータを訓練パターンテーブルに登録する統計メッセージデータ検索処理部と、
前記訓練パターンテーブルから訓練パターンを読み取り、模擬イベントを発生させる訓練実行処理部を備えたことを特徴とする設備監視装置を用いた訓練装置。
【請求項２】
設備の状態を表すイベント情報を収集して、前記設備の状態を表すメッセージ文字列ならびに前記イベントの発生時刻およびタグ情報を含む付加情報を生成するデータ処理部と、
データ処理部が生成した前記メッセージ文字列および付加情報を格納する統計メッセージデータベースと、
所定のキーワードを入力して、災害時の統計メッセージデータを前記統計メッセージデータベースから検索し、検索した統計メッセージデータを訓練パターンテーブルに登録する統計メッセージデータ検索処理部と、
前記訓練パターンテーブルから訓練パターンを読み取り、模擬イベントを発生させる訓練実行処理部を備え、
前記データ処理部は、イベントの発生時刻、発生箇所、障害発生・回復の区別を含む事象イベントおよびオペレータがおこなう操作イベントを読み取り、読み取ったイベント情報を付加情報として前記統計メッセージデータベースに訓練パターン生成の際の情報として格納することを特徴とする設備監視装置を用いた訓練装置。
【請求項３】
設備の状態を表すイベント情報を収集して、前記設備の状態を表すメッセージ文字列ならびに前記イベントの発生時刻およびタグ情報を含む付加情報を生成するデータ処理部と、
データ処理部が生成した前記メッセージ文字列および付加情報を格納する統計メッセージデータベースと、
所定のキーワードを入力して、災害時の統計メッセージデータを前記統計メッセージデータベースから検索し、検索した統計メッセージデータを訓練パターンテーブルに登録する統計メッセージデータ検索処理部と、
前記訓練パターンテーブルから訓練パターンを読み取り、模擬イベントを発生させる訓練実行処理部を備え、
イベントの発生時刻、発生箇所、障害発生・回復の区別を含む事象イベントおよびオペレータがおこなう操作イベントを読み取り、読み取ったイベント情報を付加情報として前記統計メッセージデータベースに訓練パターン生成の際の情報として使用することを特徴とする設備監視装置を用いた訓練方法。
【発明の詳細な説明】
【技術分野】
【０００１】
本発明は、設備監視装置を用いた訓練装置にかかり、特に、設備の実運用に即した訓練パターンを生成することのできる設備監視装置を用いた訓練装置に関する。
【背景技術】
【０００２】
道路等に分散して配置される設備を監視する遠方監視制御装置は、インターチェンジ、トンネルなどの１００ないし２００箇所におよぶ施設に設置され、オペレータは、被監視設備(受配電設備、照明設備、トンネル防災設備、トンネル換気設備等)の状態を監視し、設備を構成する遮断器の入／切操作、照明灯の点灯・消灯操作等を行う。
【０００３】
このように、道路遠方監視制御装置は、広範囲多数の設備を監視することから、監視対象設備の動作シーケンスについては意識せずに、現在の設備状況をリアルタイムに監視することに重きを置いている。
【０００４】
また、前記道路遠方監視制御装置においては、オペレータは停電や火災などの各種の災害発生時に、状況に対応した的確な操作が求められ、このため定期的に訓練を実施している（特許文献１）。
【先行技術文献】
【特許文献】
【０００５】
【特許文献１】特開平７−１５４８７９号公報
【発明の概要】
【発明が解決しようとする課題】
【０００６】
オペレータを訓練する訓練装置に、停電あるいは火災等の災害を模擬した訓練パターンを登録する際には、例えば、災害に対する影響範囲を調査し、影響の及ぶ複数の施設の複数設備について、災害時の動作シーケンスについて詳細に解析しておくことが必要である。また、設備監視装置が監視する複数の施設は、たとえ同設備でも設置された年代、製造者の相違により仕様が異なる場合がある。このため、これらの事情の全てを把握し、災害時の障害項目毎に、動作時間、動作順序等を予測して、訓練パターンを生成するのは困難である。
【０００７】
また、従来の訓練機能は、前記の調査結果を訓練装置に訓練パターンとして登録する際、障害項目や監視項目については、その発生順序あるいは発生間隔を確定しながら、１点ずつ登録する必要がある。さらに、監視路線の延長や、設備老朽化による監視対象設備の更新があった際は、その都度訓練パターンを見直す必要がある。
【０００８】
このように訓練パターンの作成及びメンテナンスには、膨大な労力が必要であるため、実際には、簡素化した訓練パターンを作成して訓練を行うことが多い。
【０００９】
本発明は、これらの問題点に鑑みてなされたもので、実情に応じた訓練パターンを容易に作成することのできる設備監視装置の訓練装置を提供するものである。
【課題を解決するための手段】
【００１０】
本発明は上記課題を解決するため、次のような手段を採用した。
【００１１】
設備の状態を表すイベント情報を収集して、前記設備の状態を表すメッセージ文字列ならびに前記イベントの発生時刻およびタグ情報を含む付加情報を生成するデータ処理部と、データ処理部が生成した前記メッセージ文字列および付加情報を格納する統計メッセージデータベースと、所定のキーワードを入力して、災害時の統計メッセージデータを前記統計メッセージデータベースから検索し、検索した統計メッセージデータを訓練パターンテーブルに登録する統計メッセージデータ検索処理部と、前記訓練パターンテーブルから訓練パターンを読み取り、模擬イベントを発生させる訓練実行処理部を備えた。
【発明の効果】
【００１２】
本発明は、以上の構成を備えるため、実例をもとにした訓練パターンを容易に作成することができる。
【図面の簡単な説明】
【００１３】
【図１】本発明の実施形態にかかる設備監視装置を用いた訓練装置を説明する図である。
【図２】統計メッセージデータベースに格納されるデータの詳細を示す図である。
【発明を実施するための形態】
【００１４】
以下、実施形態を添付図面を参照しながら説明する。図１は、本発明の実施形態にかかる設備監視装置を用いた訓練装置を説明する図である。図１に示すように、設備監視装置を用いた訓練装置（監視制御処理装置）１は、道路等を遠方監視する遠方監視制御システムの中核を担う装置である。道路付帯設備の各監視点に設置した各子局からの監視データは伝送装置４、伝送処理部１５を介してイベントデータとして収集し、収集したイベントデータは監視制御卓通信処理部１３を介して監視制御卓２の表示装置に表示される。
【００１５】
また、収集したデータはデータ処理部１４において、メッセージ文字列と該文字列に付加する付加情報（イベントの発生時刻、イベントの発生箇所を表すタグ情報、イベントの種類（故障の発生／回復など）に加工される。加工されたイベントデータは、統計メッセージデータ保存処理部１２を介して統計メッセージデータベース１１に時系列に保存される。
【００１６】
監視制御卓２は通常運用時に使用する制御卓であり、オペレータの訓練実施時においても使用される。オペレータが監視制御卓２に対して行った制御操作データは、監視制御卓通信処理部１３を介して監視制御処理装置１のデータ処理部１４に送信される。データ処理部１４は、受信した制御操作データを、伝送処理部１５、伝送装置４を介して遠方の道路付帯設備に設置した子局に送信する。
【００１７】
このとき、データ処理部１４は受信した制御操作データを、メッセージ文字列と該文字列に付加する付加情報（イベントの発生時刻、イベントの発生箇所を表すタグ情報、イベントの種類（故障の発生／回復など）に加工し、加工したデータを統計メッセージデータベース１１に時系列に保存する。
【００１８】
統計卓３は過去の統計メッセージデータを検索する端末であり、訓練パターンの設定操作にも使用される。災害時を模擬する訓練パターンの作成に際しては、統計卓３を介して期間、施設名称、設備名称等のキーワードを指定して統計メッセージデータベース１１を検索する。検索したデータに、所要の追加・削除・変更の操作を施した後、訓練パターンとして訓練パターンテーブル１７に登録する。
【００１９】
訓練実施時においては、訓練実行処理部１８は訓練パターンテーブル１７より、訓練パターンを読み込み、読み込んだ訓練パターンにしたがって模擬イベントを生成し、生成した模擬イベントをデータ処理部１４を介して監視制御卓２の表示装置に表示する。模擬イベントの生成に際しては、訓練パターンにおける前イベント発生からの経過時間、イベントの発生箇所を表すタグ情報、イベントの種類（故障の発生／回復など）に従う。
【００２０】
また、訓練パターンに登録された内容が、オペレータ操作の場合、監視制御卓２から入力された制御操作データは、監視制御卓通信処理部１３を介して監視制御処理装置１のデータ処理部１４に入力される。入力されたデータは、訓練実行処理部１８において、訓練パターンと比較して正しい操作が行われたか否かを判定し、正しい操作でないと判定した場合は、監視制御卓２の表示画面に正しい操作をガイダンス表示する。
【００２１】
図２は、統計メッセージデータベース１１に格納されるデータの詳細を示す図である。統計メッセージデータベース１１には、複数の道路付帯設備の状態を表すイベントデータを伝送処理部１５を介して収集し、収集したデータを統計メッセージデータとして時系列に格納する。また、監視制御卓２の操作により生成された制御操作データは、監視制御卓通信処理部１３、監視制御処理装置１のデータ処理部１４を介して統計メッセージデータとして時系列に格納する。
【００２２】
このとき、データ処理部１４は、制御操作データを、メッセージ文字列と該文字列に付加する付加情報（イベントの発生時刻、イベントの発生箇所あるいは操作対象箇所を表すタグ情報、イベントの種類（故障の発生／回復等を表す））とに加工し、加工したデータを統計メッセージデータベース１１に時系列に保存する。
【００２３】
以上説明したように、監視制御処理装置は常時監視している実績イベント及びオペレータの操作記録を統計メッセージデータとして保存する。また保存に際して、後に訓練パターンとして使用する模擬イベントを発生するための情報を付加情報として付加して保存する。模擬イベントを発生して訓練を実施するに際しては、前記統計メッセージデータを発生時刻、発生箇所（設備名称等）等のキーワードを用いて検索し、検索結果を訓練パターンとして編集・登録し、訓練を実施する。
【００２４】
統計メッセージデータとして保存する際の模擬イベント発生のための付加情報は、イベントの発生時刻、イベントのタグ情報、イベントの発生／回復方向またはオペレータ操作方向である。イベントの発生時刻は訓練パターン登録の際、前イベントからの相対時間を算出するのに使用する。イベントのタグ情報は、システム上に定義されている複数の監視項目の中から一つの項目を一意に検索するためのキーデータであり、イベントの発生／回復方向、オペレータ操作方向と合わせて、システムが訓練パターンとして指定されたデータを模擬イベントとして内部的に発生させるため、またはオペレータが正しい操作を行ったかを判定する際に使用する。
【００２５】
検索された統計メッセージデータは、追加・削除・変更を可能とする編集画面を介して訓練パターンとして登録される。これによって、過去の災害事象時における対応の適否を検証することができる。また過去の災害事象と類似した訓練パターンを作成する場合も、容易に調整して作りかえることが可能となる。このため、過去の災害事象を訓練パターンとして容易に登録することができ、実例を元にしたオペレータ訓練を実施可能となる。また、広域に及ぶ災害や、火災などの二次的な災害も予測される事象においても、複数の監視対象設備の故障項目や動作時間、動作順番を正確に把握することができる。
【００２６】
このように、本実施形態によれば、設備監視装置が常に蓄積している実績イベントである過去に発生した災害事象を蓄積した統計メッセージデータを利用して訓練パターンを作成するので、実例に即した訓練を行うことができる。
【符号の説明】
【００２７】
１  監視制御処理装置
２  監視制御卓
３  統計卓
４  伝送装置
１１  統計メッセージデータベース
１２  統計メッセージデータ保存処理部
１３  監視制御卓通信処理部
１４  データ処理部
１５  伝送処理部
１６  統計メッセージデータ検索処理部
１７  訓練パターンテーブル
【図１】
2011199469.tif 000003
【図２】
2011199469.tif 000004